(57)【要約】      （修正有）【課題】装飾体上のＬＥＤに異なる点灯、および消灯を変化させることができ、電力切断状態でも発光させることができる、ＬＥＤ装飾体を提供する。【解決手段】透明または半透明の板体であり、且つその任意の一側にデザインが設けられた装飾体と、装飾体のデザインに相対する一側に設置され、電池が接続され、電気エネルギーの入力を制御できるスイッチを具えた電源供給装置と、電源供給装置に電気的に接続され、装飾体に設置されたＬＥＤと、装飾体に塗布された蛍光層と、装飾体と連接され、デザインと相対する一側に設置され、装飾体を平面上に固定することができる結合部材とを含む。【選択図】図１
0003167155.tif 000002
【実用新案登録請求の範囲】
【請求項１】
ＬＥＤ装飾体であって、
透明または半透明の板体であり、且つその任意の一側にデザインが設けられた装飾体と、
前記装飾体に接続されて前記図案デザインに相対する一側に設置され、少なくとも１つの電池が直列または並列接続され、電気エネルギーの入力を制御できるスイッチを具えた電源供給装置と、
前記電源供給装置に電気的に接続され、前記装飾体上の前記図案デザインと相対する一側または同一の一側に設置された少なくとも１つのＬＥＤと、
前記装飾体の一側または両側に塗布された蛍光層と、
前記装飾体と連接され、前記図案デザインと相対する一側に設置され、前記装飾体を平面上に固定することができる結合部材と、
を含むことを特徴とする、ＬＥＤ装飾体。
【請求項２】
前記ＬＥＤの内部に、ＬＥＤに時間の長さが異なる点滅変化の効果を生み出すために用いる制御モジュールが設置され、そのうち、前記板体が、プラスチック、アクリル、またはガラス材質であり、前記結合部材が、安全ピン、マグネット、吊り下げ用孔、クリップ、蝶バネとピン、吸盤、両面テープ、面ファスナー、粘着粘土とすることができ、前記ＬＥＤが、単色ＬＥＤ、二色ＬＥＤ、マルチカラーＬＥＤとすることができ、前記板体が、立体形状または平面板としてもよく、前記蛍光層が、自然光、蛍光灯光、紫外光を吸収し、光エネルギーを貯蔵して、光の照射が停止した後ゆっくりと放出させることができ、前記板体の外層に布の材質で被覆してもよく、前記ＬＥＤは異なる配列方式で異なる発光図案を形成することができることを特徴とする、請求項１に記載のＬＥＤ装飾体。
【考案の詳細な説明】
【技術分野】
【０００１】
本考案は発光装飾品に関し、特に、ＬＥＤ装飾体に関する。
【背景技術】
【０００２】
市場では各種様式のストラップ式装飾品が販売されており、主に個人のバッグや携帯電話、キーホルダーなどに取り付けられているが、携帯に便利で個人の物品を識別しやすくし、遺失を防止することができるといった特性があるため、広く大衆に受け入れられている。このほか、このようなストラップ式装飾品は多くがプラスチック、水晶、皮革、金属等の材質を利用して製造されており、その取得は使用者が自分で購入するほか、会社が販促や宣伝などの目的で顧客にストラップ式装飾品を贈ることもある。ストラップ式装飾品のほか、一般に見受けられるブローチやペンダント、指輪、髪飾り、バッジ、帽章などの装飾品は、異なる外観を有するだけでなく、衣類や帽子上の異なる部位に取り付けて使用され、特殊な材質を使用した場合その質感を大幅に高めることができるが、どのような原料を使用して製造しても、その材質や外観デザインから受動的に注意力を引くしかできず、特に暗い場所などでは装飾品そのものが能動的に発光しないため、その外観の視覚的効果が大幅に失われてしまう。
【０００３】
装飾品そのものに発光機能を持たせて装飾の視覚効果を達しようとする場合、室内設計ではデザイナーが装飾用の照明具を採用し、光線が空間中に投射されて作り出される美感を重視している。例えば天井によく設置される小型のスポットライトや嵌め込み式ライト、或いは壁面上に設置される壁掛けライトなどによって、光線のレイヤーの変化による美感を増しているが、コストが高く、交換が容易でない。また市場には、釘打ち可能な可撓性発光装飾体があるが、これは透光性を具えた本体と、発光ユニットを含み、前記本体は透光性を具えた可撓性材質から成り、前記発光ユニットは少なくとも１つの前記本体内部に埋設された冷光発光部材と、少なくとも１つの前記冷光発光部材に対応して接続され、前記本体の外に延伸して穿出された電気接続部材を含み、前記冷光発光部材が前記可撓性材質から成り透光性を具えた本体内に埋設され、設置時には釘打機で釘を直接前記本体に穿入させて木材の装飾材上に固定するか、接着方式で固定することができ、従来のネジによる設置固定方式と異なり、より軽易かつ迅速に設置を完了でき、施工効率を高めることができる。しかしながら、前記釘打ち可能な可撓性発光装飾体には点滅を制御する機能はなく、且つ電力が切断されると、この装飾体は発光しなくなってしまう。
【考案の概要】
【考案が解決しようとする課題】
【０００４】
本考案の第一の目的は、調整によって装飾体上のＬＥＤに異なる点灯と消灯の変化を形成することができる、ＬＥＤ装飾体を提供することにある。
【０００５】
本考案の第二の目的は、電力が切断された状態でも発光させることができる、ＬＥＤ装飾体を提供することにある。
【課題を解決するための手段】
【０００６】
本願の第１考案は、ＬＥＤ装飾体であって、透明または半透明の板体であり、且つその任意の一側にデザインが設けられた装飾体と、前記装飾体に接続されて前記図案デザインに相対する一側に設置され、少なくとも１つの電池が直列または並列接続され、電気エネルギーの入力を制御できるスイッチを具えた電源供給装置と、前記電源供給装置に電気的に接続され、前記装飾体上の前記図案デザインと相対する一側または同一の一側に設置された少なくとも１つのＬＥＤと、前記装飾体の一側または両側に塗布された蛍光層と、前記装飾体と連接され、前記図案デザインと相対する一側に設置され、前記装飾体を平面上に固定することができる結合部材と、
を含むことを特徴とする、ＬＥＤ装飾体を提供する。
本願の第２考案は、前記ＬＥＤの内部に、ＬＥＤに時間の長さが異なる点滅変化の効果を生み出すために用いる制御モジュールが設置され、そのうち、前記板体が、プラスチック、アクリル、またはガラス材質であり、前記結合部材が、安全ピン、マグネット、吊り下げ用孔、クリップ、蝶バネとピン、吸盤、両面テープ、面ファスナー、粘着粘土とすることができ、前記ＬＥＤが、単色ＬＥＤ、二色ＬＥＤ、マルチカラーＬＥＤとすることができ、前記板体が、立体形状または平面板としてもよく、前記蛍光層が、自然光、蛍光灯光、紫外光を吸収し、光エネルギーを貯蔵して、光の照射が停止した後ゆっくりと放出させることができ、前記板体の外層に布の材質で被覆してもよく、前記ＬＥＤは異なる配列方式で異なる発光図案を形成することができることを特徴とする、前記第１考案のＬＥＤ装飾体を提供する。
【考案の効果】
【０００７】
本考案のＬＥＤ装飾体は、装飾体、電源供給装置、少なくとも１つのＬＥＤ、蛍光層、結合部材を含み、そのうち、ＬＥＤの数量は必要と機能性に応じて増加することができ、かつ単色ＬＥＤ、二色ＬＥＤ、またはマルチカラーＬＥＤとすることができ、ＬＥＤ内に制御モジュールを設置して、ＬＥＤに時間の長さが異なる点滅変化の効果を生み出すことができる。
【０００８】
本考案のＬＥＤ装飾体は蛍光層を具えているため、自然光、蛍光灯光、紫外光を吸収し、光エネルギーを貯蔵して、光の照射が停止した後、ゆっくりと放出させることができる。
【図面の簡単な説明】
【０００９】
【図１】本考案の立体外観図である。
【図２】本考案の立体分解図である。
【図３】本考案の立体背面図である。
【図４】本考案の最良の実施例を示す立体図１である。
【図５】本考案の最良の実施例を示す立体図２である。
【図６】本考案の最良の実施例を示す立体図３である。
【図７】本考案の最良の実施例を示す立体図４である。
【図８】本考案の最良の実施例を示す立体図５である。
【図９】本考案の最良の実施例を示す立体図６である。
【考案を実施するための形態】
【００１０】
まず、図１、図２、図３、図４、図５、図６、図７、図８、図９に本考案の立体外観図、立体分解図、立体背面図、最良の実施例を示す立体図１、最良の実施例を示す立体図２、最良の実施例を示す立体図３、最良の実施例を示す立体図４、最良の実施例を示す立体図５、最良の実施例を示す立体図６をそれぞれ示す。
【００１１】
これらの図からはっきりと分かるように、本考案のＬＥＤ装飾体は主に、装飾体１、電源供給装置２、少なくとも１つのＬＥＤ３、蛍光層４、結合部材５を含む。
【００１２】
前記装飾体１は、透明または半透明の板体であり、プラスチック、アクリル、またはガラス材質の立体形状または平面板とすることができ、且つその任意の一側に図案デザイン１１が設けられ、その外層を布の材質で被覆することができる。
【００１３】
前記電源供給装置２は、前記装飾体１に接続され、前記図案デザイン１１に相対する一側に設置され、少なくとも１つの電池が直列または並列接続され、電気エネルギーの入力を制御できるスイッチ２１を具えている。
【００１４】
前記少なくとも１つのＬＥＤ３は、前記電源供給装置２に電気的に接続され、制御モジュール３１が内部に設置されて、ＬＥＤ３に時間の長さが異なる点滅変化の効果を生み出すことができ、単色ＬＥＤ３、二色ＬＥＤ３、マルチカラーＬＥＤ３とすることができ、前記装飾体１上の前記図案デザイン１１と相対する一側または同一の一側に設置され、異なる配列の組み合わせにより異なる発光図案を形成することができる。
【００１５】
前記蛍光層４は、前記装飾体１の一側または両側に塗布され、前記ＬＥＤ３の光、自然光、蛍光灯光、紫外光を吸収でき、光エネルギーを貯蔵して、光の照射が停止した後にゆっくりと放出させることができる。
【００１６】
前記結合部材５は、安全ピン、マグネット、吊り下げ用孔、クリップ、蝶バネとピン、吸盤、両面テープ、面ファスナ、粘着粘土とすることができ、前記装飾体１と連接され、前記図案デザイン１１に相対する一側に設置され、前記装飾体１を平面上に固定することができる。
【００１７】
本考案のＬＥＤ装飾体は、調整によって装飾体１上のＬＥＤ３に異なる点灯と消灯の変化を形成することができる機能を具え、且つ単色ＬＥＤ３、二色ＬＥＤ３、マルチカラーＬＥＤ３とすることができ、ＬＥＤ３に時間の長さが異なる点滅変化の効果を生み出すことができると共に、電力が切断状態にあってもＬＥＤ装飾体に発光させることができる。具体的な実施方式を以下に示す。
【００１８】
バラのデザインの装飾体１は安全ピンを結合部材５としてシャツの左胸前に取り付けられ、その上に花弁模様の図案デザイン１１が刻まれており、かつ電源供給装置２内に水銀電池が設置され、制御モジュール３１によりＬＥＤ３を10秒ごとに１回点滅させるように設定し、さらにスイッチ２１によって電源をオンにして点滅効果を達するものであり、このスイッチ２１のオン／オフ時、前記装飾体１の両側に塗布された蛍光層４が吸収した光をゆっくりと放出し、別の美感を生み出す。
【符号の説明】
【００１９】
１      装飾体
１１    図案デザイン
２      電源供給装置
２１    スイッチ
３      ＬＥＤ
３１    制御モジュール
４      蛍光層
５      結合部材
【図１】
0003167155.tif 000003
【図２】
0003167155.tif 000004
【図３】
0003167155.tif 000005
【図４】
0003167155.tif 000006
【図５】
0003167155.tif 000007
【図６】
0003167155.tif 000008
【図７】
0003167155.tif 000009
【図８】
0003167155.tif 000010
【図９】
0003167155.tif 000011